(57)【要約】  本発明である包装体１は、複数の物質を収容する第一収容領域部１１及び第二収容領域部１２と、物質が流通可能であり第一収容領域部１１と第二収容領域部１２とを相互に連通させる連通路２１，２２と、を備える。そして、第一収容領域部１１及び第二収容領域部１２は、外部からの圧力に応じて縮小／拡大するよう構成されており、当該第一収容領域部１１及び第二収容領域部１２の縮小／拡大に応じて物質が連通路２１，２２を流通するよう構成されている。
2018074209.tif 000002
【特許請求の範囲】
【請求項１】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されている、
包装体。
【請求項２】
請求項１に記載の包装体であって、
前記物質のうち、少なくとも１つは気体であり、少なくとも他の１つは気体の気泡を含有可能な液体であり、
前記連通路は、前記物質が流通したときに、液体内で気体を微小気泡化させるよう構成されている、
包装体。
【請求項３】
請求項２に記載の包装体であって、
前記連通路の内壁面に凸部を設けた、
包装体。
【請求項４】
請求項２又は３に記載の包装体であって、
前記連通路に、前記物質が流通可能な複数の孔を有する孔形成部材を設けた、
包装体。
【請求項５】
請求項４に記載の包装体であって、
前記連通路に設けられた前記孔形成部材に形成された複数の孔は、当該連通路内に配置された複数の多角形形状物の隙間にて形成されている、
包装体。
【請求項６】
請求項１乃至５のいずれかに記載の包装体であって、
前記連通路を、前記第一収容領域部と前記第二収容領域部との間に複数設けた、
包装体。
【請求項７】
請求項６に記載の包装体であって、
前記連通路のうち、少なくとも１つは前記第一収容領域部の内部空間から前記第二収容領域部の内部空間に物質を流通させるよう構成され、少なくとも他の１つは記第二収容領域部の内部空間から前記第一収容領域部の内部空間に物質を流通させるよう構成されている、
包装体。
【請求項８】
請求項６又は７に記載の包装体であって、
前記連通路のうち、少なくとも１つは前記第一収容領域部の内部空間から前記第二収容領域部の内部空間に向かって通路の幅が狭くなるよう構成され、少なくとも他の１つは記第二収容領域部の内部空間から前記第一収容領域部の内部空間に向かって通路の幅が狭くなるよう構成されている、
包装体。
【請求項９】
請求項１乃至８のいずれかに記載の包装体であって、
前記物質を収容する内部空間を有する他の収容領域部を、さらに１つ又は複数備え、
前記収容領域部は、前記第一収容領域部の内部空間及び／又は前記第二収容領域部の内部空間と、さらに連通路を介して連通されている、
包装体。
【請求項１０】
請求項１乃至９のいずれかに記載の包装体であって、
柔軟性を有する２つのシート体の一部を貼り合わせて構成されており、
前記２つのシート体の間に、前記第一収容領域部の内部空間と、前記第二収容領域部の内部空間と、前記連通路と、を形成して構成されている、
包装体。
【請求項１１】
請求項１乃至１０のいずれかに記載の包装体であって、
前記包装体は、水溶性の素材で形成されており、
前記包装体に収容される前記物質は、当該包装体を溶解させない物質である、
包装体。
【請求項１２】
複数の物質を収容する内部空間を有する、第一収容領域部、第二収容領域部及び第三収容領域部と、
前記物質が流通可能であり、前記第一収容領域部の内部空間と前記第三収容領域部の内部空間とを相互に連通させる第一連通路と、前記第二収容領域部の内部空間と前記第三収容領域部の内部空間とを相互に連通させる第二連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記第一連通路及び前記第二連通路を流通するよう構成されている、
包装体。
【請求項１３】
請求項１２に記載の包装体であって、
前記物質のうち、少なくとも１つは気体であり、少なくとも他の１つは気体の気泡を含有可能な液体である場合に、
前記第一連通路及び前記第二連通路は、前記物質が流通したときに、液体内で気体を微小気泡化させるよう構成されている、
包装体。
【請求項１４】
内部空間に複数の物質が収容された第一収容領域部と第二収容領域部とを交互に外部から押圧して、前記第一収容領域部の内部空間と前記第二収容領域部の内部空間とを交互に縮小／拡大させることにより、前記第一収容領域部の内部空間と前記第二収容領域部の内部空間とを相互に連通させる連通路に前記物質を流通させる、
物質混合方法。
【請求項１５】
請求項１４に記載の物質混合方法であって、
前記物質のうち、少なくとも１つは気体であり、少なくとも他の１つは気体の気泡を含有可能な液体であり、
前記連通路に前記物質を流通させる際に、当該連通路にて液体内で気体を微小気泡化させる、
物質混合方法。
【発明の詳細な説明】
【技術分野】
【０００１】
本発明は、包装体にかかり、特に、収容されている物質を混合可能な包装体に関する。
【背景技術】
【０００２】
ナノバブルは、水などの溶媒中に存在するナノサイズ（例えば、粒径１０００ｎｍ以下）の微小気泡であり、通常の気泡とは著しく異なった性質を有する。例えば、ナノバブルは、成長促進効果や抗酸化作用、殺菌作用など、人体に対しても優れた効果が期待されている。【０００３】
そして、上述したナノバブルの性質を利用して、様々な溶媒にナノバブルを含有させることも検討されている。例えば、化粧液や洗浄剤、薬剤、飲料物などを形成する溶媒にナノバブルを含有させることで、ナノバブルを人体に取り込むことができる。
【先行技術文献】
【特許文献】
【０００４】
【特許文献１】特開２０１６−１２０９１９号公報
【発明の概要】
【発明が解決しようとする課題】
【０００５】
一方で、ナノバブルは、溶媒中に微小気泡として存在するものであるため、溶媒に対する溶存量が時間の経過に伴って低下しうる。このため、例えば、体内にナノバブルを取り込むことを目的とする場合であっても、ナノバブルの溶媒に対する溶存期間が短く溶存量が低下することにより、効率よく取り込むことが困難である、という問題が生じる。【０００６】
ここで、特許文献１には、ある成分を含有する液体を安定して保持するための包装袋が開示されている。この包装袋は、アルミニウム層を有しており、遮光性、水分遮断性、ガスバリア性を確保して、ある成分が含有された液体を長期保存できるよう構成されている。【０００７】
しかしながら、上述したような包装袋であっても、ナノバブルが溶媒に含有されている状態のままでは、ナノバブルが減少しうる。つまり、液体と気体の混合物の混合状態を安定して保持することが困難である。このため、必要に応じてナノバブルの溶存量が多い溶媒を得ることが困難である、という問題が生じる。【０００８】
また、ナノバブルに限らず、上述した包装袋に、複数の物質の混合物を収容している場合に、かかる混合物の混合状態を安定して維持することも困難となりうる。このため、必要に応じて混合状態を維持した混合物を得ることが困難である、という問題が生じる。【０００９】
以上により、本発明の目的は、上述した課題である、複数の物質の混合物を所望の混合状態を維持した状態で得ることが困難である、ことを解決することができる包装体を提供することにある。
【課題を解決するための手段】
【００１０】
本発明の一形態である包装体は、
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されている、
という構成をとる。【００１１】
上記構成によると、まず、第一収容領域部を外部から押して圧力をかけると、当該第一収容領域部の内部空間が縮小し、当該第一収容領域部の内部空間に収容されている物質が連通路を介して第二収容領域部の内部空間に流通し、これに応じて、当該第二収容領域部の内部空間が拡大する。その後、第二収容領域部を外部から押して圧力をかけると、当該第二収容領域部の内部空間が縮小し、当該第二収容領域部の内部空間に収容されている物質が連通路を介して第一収容領域部の内部空間に流通し、これに応じて、当該第一収容領域部の内部空間が拡大する。このような操作を繰り返し行うことで、連通路を介して第一収容領域部と第二収容領域部との間を流通した複数の物質が混合されることとなり、包装体内に混合物を生成することができる。その結果、かかる混合物を混合直後の状態で得ることができる。【００１２】
また、上記包装体では、
前記物質のうち、少なくとも１つは気体であり、少なくとも他の１つは気体の気泡を含有可能な液体であり、
前記連通路は、前記物質が流通したときに、液体内で気体を微小気泡化させるよう構成されている、
という構成をとる。【００１３】
また、上記包装体では、
前記連通路の内壁面に凸部を設けた、
という構成をとる。【００１４】
また、上記包装体では、
前記連通路に、前記物質が流通可能な複数の孔を有する孔形成部材を設けた、
という構成をとる。【００１５】
また、上記包装体では、
前記連通路に設けられた前記孔形成部材に形成された複数の孔は、当該連通路内に配置された複数の多角形形状物の隙間にて形成されている、
という構成をとる。【００１６】
上記構成によると、収容される物質が液体と気体である場合に、液体と気体が混合されると共に、連通路を通過する際に、液体内で気体が微小気泡化される。これにより、微小気泡を含有した液体を得ることができる。【００１７】
また、上記包装体では、
前記連通路を、前記第一収容領域部と前記第二収容領域部との間に複数設けた、
という構成をとる。【００１８】
また、上記包装体では、
前記連通路のうち、少なくとも１つは前記第一収容領域部の内部空間から前記第二収容領域部の内部空間に物質を流通させるよう構成され、少なくとも他の１つは記第二収容領域部の内部空間から前記第一収容領域部の内部空間に物質を流通させるよう構成されている、
という構成をとる。【００１９】
また、上記包装体では、
前記連通路のうち、少なくとも１つは前記第一収容領域部の内部空間から前記第二収容領域部の内部空間に向かって通路の幅が狭くなるよう構成され、少なくとも他の１つは記第二収容領域部の内部空間から前記第一収容領域部の内部空間に向かって通路の幅が狭くなるよう構成されている、
という構成をとる。【００２０】
上記構成によると、連通路を複数設けることで、第一収容領域部と第二収容領域部との間で流通させる物質の量を増加させることができる。また、連通路の物質が流通する方向を設定して構成することで、効率よく物質を流通させて混合させることができる。その結果、効率よく混合物を得ることができる。【００２１】
また、上記包装体では、
前記物質を収容する内部空間を有する他の収容領域部を、さらに１つ又は複数備え、
前記収容領域部は、前記第一収容領域部の内部空間及び／又は前記第二収容領域部の内部空間と、さらに連通路を介して連通されている、
という構成をとる。【００２２】
上記構成によると、さらに多くの収容領域部を備えることで、それぞれに領域部に事前に異なる物質を収容させておくことができる。そして、いずれかの領域部を外部から押して圧力をかけることで、上述したように各物質が混合されることとなる。これにより、より多くの種類の物質を混合した混合物を混合状態で得ることができる。【００２３】
また、上記包装体では、
柔軟性を有する２つのシート体の一部を貼り合わせて構成されており、
前記２つのシート体の間に、前記第一収容領域部の内部空間と、前記第二収容領域部の内部空間と、前記連通路と、を形成して構成されている、
という構成をとる。【００２４】
上記構成のよると、２つのシート体の間に、物質が収容されたり流通する各構成を形成しているため、簡易な構成かつ低コストで混合物を得ることができる包袋体を構成することができる。【００２５】
また、本発明の他の形態である包装体は、
複数の物質を収容する内部空間を有する、第一収容領域部、第二収容領域部及び第三収容領域部と、
前記物質が流通可能であり、前記第一収容領域部の内部空間と前記第三収容領域部の内部空間とを相互に連通させる第一連通路と、前記第二収容領域部の内部空間と前記第三収容領域部の内部空間とを相互に連通させる第二連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記第一連通路及び前記第二連通路を流通するよう構成されている、
という構成をとる。【００２６】
そして、上記包装体では、
前記物質のうち、少なくとも１つは気体であり、少なくとも他の１つは気体の気泡を含有可能な液体である場合に、
前記第一連通路及び前記第二連通路は、前記物質が流通したときに、液体内で気体を微小気泡化させるよう構成されている、
という構成をとる。【００２７】
上記構成の包装体であっても、第一収容領域部と第二収容領域部との間を、連通路を通じて第三収容領域部を介して物質が流通するため、複数の物質の混合物や微小気泡を含有した液体を生成することができる。【００２８】
また、本発明の他の形態である物質混合方法は、
内部空間に複数の物質が収容された第一収容領域部と第二収容領域部とを交互に外部から押圧して、前記第一収容領域部の内部空間と前記第二収容領域部の内部空間とを交互に縮小／拡大させることにより、前記第一収容領域部の内部空間と前記第二収容領域部の内部空間とを相互に連通させる連通路に前記物質を流通させる、
という構成をとる。【００２９】
そして、上記物質混合方法では、
前記物質のうち、少なくとも１つは気体であり、少なくとも他の１つは気体の気泡を含有可能な液体であり、
前記連通路に前記物質を流通させる際に、当該連通路にて液体内で気体を微小気泡化させる、
という構成をとる。【００３０】
上記物質混合方法であっても、第一収容領域部と第二収容領域部との間を、連通路を通じて物質が流通するため、複数の物質の混合物や微小気泡を含有した液体を生成することができる。
【発明の効果】
【００３１】
本発明は、以上のように構成されることにより、複数の物質の混合物を所望の混合状態を維持した状態で得ることができる。
【図面の簡単な説明】
【００３２】
【図１】本発明の第１の実施形態における包装体の構成を示す図である。
【図２】図１に開示した包装体の利用時の様子を示す図である。
【図３】図１に開示した包装体の利用時の様子を示す図である。
【図４】図１に開示した包装体の連通路の構成例を示す図である。
【図５】本発明である包装体の変形例を示す図である。
【図６】本発明である包装体の変形例を示す図である。
【図７】本発明である包装体の変形例を示す図である。
【図８】本発明である包装体の変形例を示す図である。
【図９】本発明である包装体の変形例を示す図である。
【図１０】本発明である包装体の変形例を示す図である。
【図１１】本発明である包装体の変形例を示す図である。
【図１２】本発明である包装体の変形例を示す図である。
【図１３】本発明である包装体の変形例を示す図である。
【発明を実施するための形態】
【００３３】
＜実施形態１＞
本発明の第１の実施形態を、図１乃至図４を参照して説明する。図１は、包装体の構成を示す図であり、図２乃至図３は包装体の利用時の様子を示す図である。図４は、包装体を構成する連通路の構成例を示す図である。
【００３４】
図１に、本実施形態における包装体１の構成の一例を示す。図１（ａ）は、包装体１の平面図であり、図１（ｂ）は図１（ａ）の上下方向の任意の位置（連通路２１が形成されている位置）で断面した包装体１の断面図である。
【００３５】
本実施形態における包装体１は、２枚のシート体が積層された状態で、一部が貼り合わされて構成されている。シート体は、例えば、ポリエチレン製、アルミニウム製など、いかなる材質であってもよい。
【００３６】
具体的に、包装体１は、２枚のシート体の間に、図１（ａ）の点線で示す外形の、２つの収容領域部１１，１２と、２つの連通路２１，２２と、を構成する空間を形成するよう、その他の部分が張り合わされて構成されている。つまり、包装体１は、図１（ｂ）の断面図に示すように、積層された２枚のシート体が、２つの収容領域部１１，１２と、２つの連通路２１，２２と、を構成する箇所のみ張り合わされておらず、その他の箇所は張り合わされている。なお、２枚のシート体が相互に張り合わされている箇所は、例えば、熱圧着シーラーによって熱圧着されて張り合わされているが、いかなる方法で貼り合わせられていてもよい。
【００３７】
上記２つの収容領域部１１，１２は、第一収容領域部１１及び第二収容領域部１２からなる。これら収容領域部１１，１２の内部空間には、液体と気体とが収容されている。例えば、液体は化粧液であり、気体は水素ガスである。ここで、第一収容領域部１１の内部空間には化粧液、第二収容領域部１２の内部空間には水素ガス、というように、最初は液体と気体とが別々に収容されていてもよく、あるいは、液体と気体とが混在した状態でそれぞれの収容領域部１１，１２に収容されていてもよい。なお、各収容領域部１１，１２の内部空間に収容される物質として、液体と気体を例に挙げているが、異なる種類の液体同士や気体同士であってもよく、ゾルやゲル、さらには、粉末と言った固体であってもよい。なお、これら物質は、後述するように、連通路２１，２２を流通可能な流動性を有する物質である。
【００３８】
上記２つの連通路２１，２２は、上記第一収容領域部１１の内部空間と上記第二収容領域部１２の内部空間との間を相互に連通させる通路である。このため、連通路２１，２２は、各収容領域部１１，１２に収容されている複数の物質が、各収容領域部１１，１２間を相互に行き来するよう流通可能である。但し、連通路２１，２２は、物質の流通方向を規定するよう構成されている。例えば、連通路２２は、第一収容領域部１１の内部空間から第二収容領域部１２の内部空間に向かって通路の幅が狭くなるよう構成されている。このため、連通路２２が弁として機能し、第一収容領域部１１から第二収容領域部１２に向かって物質が流通するよう構成されている。一方、連通路２１は、第二収容領域部１２の内部空間から第一収容領域部１１の内部空間に向かって通路の幅が狭くなるよう構成されている。このため、連通路２１が弁として機能し、第二収容領域部１２から第一収容領域部１１に向かって物質が流通するよう構成されている。但し、連通路２１，２２の流通方向は必ずしも規定されていなくてもよい。
【００３９】
ここで、上述した第一収容領域部１１と第二収容領域部１２との内部空間は、柔軟性を有する２枚のシート体の間に形成されている空間であるため、外部からの圧力に応じて、内部空間自体が縮小あるいは拡大するよう構成されている。例えば、図２（ｂ）の矢印に示すように、第一収容領域部１１が外部から押されて圧力をかけられると、第一収容領域部１１の内部空間が縮小する。すると、図２（ａ）の矢印に示すように、第一収容領域部１１内の物質が、連通路２２を流通して第二収容領域部１２内に流入することとなり、これに応じて、第二収容領域部１２の内部空間が拡大する。その後、図３（ｂ）の矢印に示すように、第二収容領域部１２を外部から押して圧力をかけると、当該第二収容領域部１２の内部空間が縮小する。すると、図３（ｂ）の矢印に示すように、第二収容領域部１２内に収容されている物質が連通路２１を介して第一収容領域部１１内に流入し、これに応じて、第一収容領域部１１の内部空間が拡大する。
【００４０】
このとき、上述した各連通路２１，２２は、物質が流通したときに、液体内の気体を微小気泡化させるよう構成されている。例えば、連通路２１，２２は、下流側の収容領域部への流入箇所では通路の幅が極めて小さく形成されていることにより、液体と気体が混合された物質が流通すると、液体内の気体が微小気泡化されることとなる。
【００４１】
また、連通路２１，２２は、図４に示すような構成であってもよい。例えば、図４（ａ）に示すように、連通路２１の内壁面に凸部２１ａが設けられていてもよい。このように凸部２１ａが設けられた連通路２１内を液体と気体とが混合された物質が流通することで、液体内の気体が微小気泡化されることとなる。ここで、生成される微小気泡は、例えば、粒径１０００ｎｍ以下のナノサイズであると望ましい。なお、連通路２２も同様の構成を有する。
【００４２】
また、例えば、図４（ｂ）の網掛け部分で示すように、連通路２１に多孔質体２１ｂ（孔形成部材）を充填してもよい。この多孔質体２１ｂは、例えば、綿状繊維素材で構成されており、多数の孔が形成されている。この多数の孔を液体と気体とが混合された物質が通過することで、液体内の気体が微小気泡化することとなる。なお、孔の大きさは、例えば径が１ｍｍ以下であると望ましい。また、多数の孔は、例えば、後述するようにハニカム構造のように、連通路２２内に複数の多角形形状物が敷き詰められており、これら多角形形状物の隙間にて形成されていてもよい。このようにすることで、さらなる気泡サイズの微小化を効率よく行うことができる。
【００４３】
以上のような構成において、図２と図３に示すように、第一収容領域部１１と第二収容領域部１２に対する外部からの押圧を交互に繰り返すことで、第一収容領域部１１の内部空間と第二収容領域部１２の内部空間とが交互に縮小／拡大されることとなる。すると、第一収容領域部１１の内部空間と第二収容領域部１２の内部空間とに収容された液体と気体の混合物が、各連通路２１，２２内で流通を繰り返すこととなり、連通路２１，２２を流通した液体と気体の混合物は、液体内で気体が微小気泡化されることとなる。その結果、微小気泡化された気体を含有した液体を生成することができ、包装体を開けることで、かかる混合物を得ることができる。これにより、発生直後の微小気泡を含有する液体を得ることができるため、微小気泡の溶存量が多い液体を得ることができる。
【００４４】
そして、上述したように、例えば、化粧液と水素とを混合することで、水素の微小気泡の溶存量が多い化粧品を得ることができる。なお、本発明の包装体では、いかなる物質を混合するために用いてもよい。例えば、洗浄剤、薬剤、飲料物といった液体と、酸素や水素などの気体と、を混合することに利用してもよい。これにより、酸素や水素のナノバブルが発生して含有された直後の混合物を得ることができ、かかる混合物を利用することで、ナノバブルによる成長促進効果や抗酸化作用、殺菌作用など、人体などの生物に対して優れた効果を期待することができる。なお、混合する物質は、液体同士や気体同士であってもよい。これにより、生成直後で効果のある混合物を得ることができる。
【００４５】
なお、上述した２つの収容領域部１１，１２内で、混合前では異なる物質が混合されることなく収容されていることが望ましい場合には、各収容領域部１１，１２内にそれぞれ別々に物質を収容した状態で、各連通路２１，２２をクリップなどで挟んで塞いでおいてもよい。そして、物質の混合が必要なときに、連通路２１，２２を挟んだ状態を解除して、上述したように物質の混合を行ってもよい。なお、連通路２１，２２を塞ぐ方法は、いかなる方法で行ってもよい。
【００４６】
ここで、上述した包装体１を用いて、液体中に微小気泡を発生させた実験結果を示す。実験では、液体中に発生した微小気泡の大きさと数をビデオ解析によって調べた。その結果、液体１ｃｍ３あたり、１〜１０００ｎｍの気泡であるナノバブルが２〜１４億個、発生していることが観測された。一般的な気泡発生装置を用いた場合には、液体１ｃｍ３あたり微小気泡が３０００〜５０００万個程度しか発生しないことに対して、本発明における包装体１では、よりナノバブルの溶存量が多い液体を生成することができる。
【００４７】
次に、本発明の変形例を、図５乃至図１３を参照して説明する。まず、図５に示すように、包装体１は、４つの連通路を備えている。そのうち符号２２に示す２つの連通路は、図５（ａ）の矢印に示すように、第一収容領域部１１から第二収容領域部１２に向かって物質を流通させるよう構成されている。また、符号２１に示す２つの連通路は、図５（ｂ）の矢印に示すように、第二収容領域部１２から第一収容領域部１１に向かって物質を流通させるよう構成されている。なお、連通路の数は、上述した数に限定されず、さらに多く設けてもよい。
【００４８】
このように、１つの収容領域部に対して物質の流出口や流入口となる連通路を複数設けることで、各収容領域部間を流通させる物質の量を増加させることができる。特に、連通路の物質が流通する方向を設定して構成することで、効率よく物質を混合させることができる。
【００４９】
また、図６に示すように、包装体１は、さらに多くの収容領域部を備えてもよい。具体的に、図６に示す包装体１は、第一収容領域部１１及び第二収容領域部１２の他に、第三収容領域部１３を備えている。これに伴い、第三収容領域部１３から第一収容領域部１１に向かって物質を流通させる連通路２３と、第一収容領域部１１から第三収容領域部１３に向かって物質を流通させる連通路２４と、を備えている。
【００５０】
そして、各収容領域部１１，１２，１３には、予めそれぞれ異なる物質が収容されている。例えば、第一収容領域部１１には、液体が収容され、第二収容領域部１２と第三収容領域部１３には、それぞれ異なる気体が収容される。
【００５１】
以上のような構成において、各収容領域部１１，１２，１３に対する押圧を繰り返すことで、各収容領域部１１，１２，１３内の物質を混合させることができる。例えば、まず、第二収容領域部１２を押圧することで、図６（ａ）の矢印に示すように、第二収容領域部１２内の物質が連通路２１を介して第一収容領域部１１に流通し、第一収容領域部１１内の物質が連通路２４を介して第三収容領域部１３内に流通する。その後、第三収容領域部１３を押圧することで、図６（ｂ）の矢印に示すように、第三収容領域部１３内の物質が連通路２３を介して第一収容領域部１１に流通し、第一収容領域部１１内の物質が連通路２２を介して第二収容領域部１２内に流通する。そして、上述した各収容領域部の押圧を繰り返すことで、内部に収容された液体と気体の混合物が各連通路内で流通を繰り返すこととなり、液体内で気体が微小気泡化されることとなる。
【００５２】
なお、図６の例では、第二収容領域部１２と第三収容領域部１３との間には連通路を設けていないが、これら収容領域部１２，１３間に連通路を設けてもよい。また、図６の例では、収容領域部１１，１２，１３を３つ設けた例を説明したが、さらに多くの収容領域部を設けてもよい。この場合、全ての収容領域部間に連通路を設けてもよく、特定の収容領域部間のみに連通路を設けてもよい。
【００５３】
また、上記では、一対の収容領域部１１，１２間に複数の連通路を備えた構成を示したが、図７に示すように、本発明の包装体１は、一対の収容領域部１１，１２間に、連通路２５を１つのみ備えていてもよい。かかる構成であっても、収容領域部１１，１２間を連通路２５を介して物質を流通させることができ、物質を混合させたり、液体内に気体の微小気泡を含有させることもできる。
【００５４】
このとき、上記連通路２５は、例えば、図８（ａ）に示すように、内部にハニカム構造物が充填されていてもよい。具体的には、連通路２５内に複数の六角形形状物のような多角形形状物を敷き詰め、これら多角形形状物の隙間を物質が流通するよう、連通路２５を構成してもよい。このとき、連通路２５内の多角形形状物は、例えば、包装体１を形成する２枚のシート体を多角形に熱圧着して構成してもよく、あるいは、多角形形状物を敷き詰めてもよい。
【００５５】
なお、上述した連通路は、例えば、図８（ｂ）に示すように、第一収容領域部１１と第二収容領域部１２との間の端に設けられていてもよい。つまり、図８（ｂ）のように、第一収容領域部１１及び第二収容領域部１２を台形に形成した例では、相互に近接する頂点箇所に、各連通路２６，２７を設けてもよい。そして、図８（ｂ）の構造にした場合には、例えば、包装体１の左右を、それぞれ左右の手で握ってねじることで、各収容領域部１１，１２を押圧して、液体内に気体の微小気泡を含有させることができる。従って、物質の混合や微小気泡の発生作業が容易となる。
【００５６】
ここで、上記では、包装体１の外形が長方形であり、２つの収容領域部１１，１２もそれぞれ長方形に形成された形状を例示したが、包装体１や収容領域部１１，１２の形状はいかなる形状であってもよい。例えば、図９（ａ）に示すように外形がひし形や、図９（ｂ）に示すようにハート型、図１０（ａ）に示すように楕円形状であってもよい。そして、収容領域部１１，１２は、これら包装体１自体の外形をほぼ二分割した形状であってもよい。また、第一収容領域部１１及び第二収容領域部１２は、必ずしも同一形状であることに限定されない。例えば、図１０（ｂ）に示すように、包装体１の外形が長方形であって、第一収容領域部１１が四角形、第二収容領域部１２が三角形、というように、各収容領域部１１，１２の形状が異なっていてもよい。
【００５７】
また、上記では、２枚のシート体を貼り合わせて包装体１を構成する場合を例示したが、包装体１はいかなる構造であってもよい。例えば、上記各収容領域部を容器で構成し、上記連通路をチューブや貫通孔で構成してもよい。包装体１の他の構成例として、図１１に示す構成の包装体１を説明する。この図に示す包装体１は、柔軟性があり内部空間を有する略円柱形状の２つ収容領域部１１，１２が、これら収容領域部１１，１２よりも外形が絞られて形成された中間領域１４を介して連結している。そして、中間領域１４は、中央部分１４ａで包装体１の外表面を形成する部材が貼り合わせられており、当該中央部分１４ａが塞がれた状態となっている。これによって、中央部分１４ａの周囲に位置する当該中央部分１４ａと外表面との間に形成される空間が、第一収容領域部１１と第二収容領域部１２との内部空間を連通させる連通路２８となる。この連通路２８は、上述同様に、極めて小さく形成されているため、液体が流通したときに、当該液体内の気体を微小気泡化させるよう構成されている。また、第一収容領域部１１の先端は、外部に開口された排出通路が形成されており、開口端である排出口はキャップ３０で塞がれている。なお、連通路２８は、必ずしも上述した構成であることに限定されない。例えば、第一収容領域部１１と第二収容領域部１２とがある中間部材を介して連結されており、かかる中間部材に第一収容領域部１１と第二収容領域部１２とを連通する連通路が形成されていてもよい。
【００５８】
上記構成の包装体１では、第一収容領域部１１と第二収容領域部１２とを交互に握るなどすることで、各収容領域部１１，１２内の気体を含有する液体が連通路２８を流通することとなる。これにより、上述同様に、微小気泡を含有した液体を生成することができる。そして、キャップ３０を外して排出通路の排出口を開口させることで、微小気泡を含有した液体を排出させることができる。例えば、液体が植物栽培用の液体肥料である場合には、図１１に示す包装体１を排出口側から鉢やプランターの土に刺しておくことで、微小気泡を含有した液体肥料を植物に与えることができる。
【００５９】
また、本発明の包装体１は、図１２に示すように、各収容領域部１１，１２と、これらの間を連通させる連通路２９と、をゴムなどの弾性部材で形成してもよい。そして、図１２の例では、連通路２９内がハニカム構造となっている。さらに、図１２の例では、第二収容領域部１２の内部に連通する排出通路が形成されており、当該排出通路の開口端となる排出口にキャップ３０が設けられている。かかる構成により、各収容領域部１１，１２を手や脚で交互に踏みつけるなど押圧することで、大量に微小気泡を含有した液体を生成することができる。このように大量に生成する液体は、例えば、農薬などとして利用することができる。
【００６０】
なお、上記では２つの収容領域部１１，１２が直接連通している場合を例示したが、図１３に示すように、第一収容領域部１１と第二収容領域部１２との間に中間収容領域部１５（第三収容領域部）を設けてもよい。そして、第一収容領域部１１と中間収容領域部１５とを連通させる１つ又は複数の第一連通路３１と、第二収容領域部１２と中間収容領域部１５とを連通させる１つ又は複数の第二連通路３２と、を備えている。かかる構成では、両端の第一収容領域部１１と第二収容領域部１２だけを押圧することで、物質が中間収容領域部１５を介して各連通路３１，３２を流通し、より効率よく微小気泡を生成することができる。
【００６１】
ここで、上述した包装体１自体を、水溶性の素材で形成してもよく、その場合、包装体１内に収容される物質、例えば収容される液体を、包装体１を溶解させない物質としてもよい。例えば、包装体１に収容される物質は、水あるいは水含有物以外のものとするとよい。これにより、例えば、包装体１内に、当該包装体１を溶解させない液体洗剤と所定の気体とを収容して混合することで、液体洗剤に気体の微小気泡が含有された混合物を得ることができる。そして、微小気泡を発生させた状態で包装体１自体を洗濯機に投入することで、包装体１が洗濯機内の洗浄水で溶解し、微小気泡が含有された状態の液体洗剤を洗濯機内の洗浄水に投入することができる。これにより、洗濯物に対するナノバブルによる殺菌作用などの効果を期待することができる。なお、包装体１は、必ずしも水溶性であることに限定されず、水以外の液体など特定の物質で溶解される素材で形成されてもよく、その場合には、包装体１の内部に収容される物質は、包装体１が溶解される特定の物質以外のものとするとよい。
【００６２】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【００６３】
なお、本発明は、日本国にて２０１６年１０月１８日に特許出願された特願２０１６−２０４０４２の特許出願、及び、日本国にて２０１７年４月１４日に特許出願された特願２０１７−０８０４２８の特許出願、に基づく優先権主張の利益を享受するものであり、当該特許出願に記載された内容は、全て本明細書に含まれるものとする。
【符号の説明】
【００６４】
１  包装体
１１  第一収容領域部
１２  第二収容領域部
１３  第三収容領域部
１４  中間領域
１５  中間収容領域部
２１〜２９，３１，３２  連通路
２１ａ  凸部
２１ｂ  多孔質体
３０  キャップ
【図１】
2018074209.tif 000003
【図２】
2018074209.tif 000004
【図３】
2018074209.tif 000005
【図４】
2018074209.tif 000006
【図５】
2018074209.tif 000007
【図６】
2018074209.tif 000008
【図７】
2018074209.tif 000009
【図８】
2018074209.tif 000010
【図９】
2018074209.tif 000011
【図１０】
2018074209.tif 000012
【図１１】
2018074209.tif 000013
【図１２】
2018074209.tif 000014
【図１３】
2018074209.tif 000015
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されており、
前記連通路を、前記第一収容領域部と前記第二収容領域部との間に複数設けた、
包装体。
【請求項２】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されており、
前記連通路を、前記第一収容領域部と前記第二収容領域部との間に複数設け、
前記連通路のうち、少なくとも１つは前記第一収容領域部の内部空間から前記第二収容領域部の内部空間に物質を流通させるよう構成され、少なくとも他の１つは記第二収容領域部の内部空間から前記第一収容領域部の内部空間に物質を流通させるよう構成されている、
包装体。
【請求項３】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されており、
前記連通路を、前記第一収容領域部と前記第二収容領域部との間に複数設け、
前記連通路のうち、少なくとも１つは前記第一収容領域部の内部空間から前記第二収容領域部の内部空間に向かって通路の幅が狭くなるよう構成され、少なくとも他の１つは記第二収容領域部の内部空間から前記第一収容領域部の内部空間に向かって通路の幅が狭くなるよう構成されている、
包装体。
【請求項４】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されており、
前記連通路の内壁面に凸部を設けた、
包装体。
【請求項５】
複数の物質を収容する内部空間を有する第一収容領域部及び第二収容領域部と、
前記物質が流通可能であり、前記第一収容領域部の内部空間と前記第二収容領域部の内部空間とを相互に連通させる連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記連通路を流通するよう構成されており、
前記物質を収容する内部空間を有する他の収容領域部を、さらに１つ又は複数備え、
前記収容領域部は、前記第一収容領域部の内部空間及び／又は前記第二収容領域部の内部空間と、さらに連通路を介して連通されている、
包装体。
【請求項６】
請求項１乃至５のいずれかに記載の包装体であって、
前記物質のうち、少なくとも１つは気体であり、少なくとも他の１つは気体の気泡を含有可能な液体であり、
前記連通路は、前記物質が流通したときに、液体内で気体を微小気泡化させるよう構成されている、
包装体。
【請求項７】
請求項６に記載の包装体であって、
前記連通路に、前記物質が流通可能な複数の孔を有する孔形成部材を設けた、
包装体。
【請求項８】
請求項７に記載の包装体であって、
前記連通路に設けられた前記孔形成部材に形成された複数の孔は、当該連通路内に配置された複数の多角形形状物の隙間にて形成されている、
包装体。
【請求項９】
請求項１乃至８のいずれかに記載の包装体であって、
柔軟性を有する２つのシート体の一部を貼り合わせて構成されており、
前記２つのシート体の間に、前記第一収容領域部の内部空間と、前記第二収容領域部の内部空間と、前記連通路と、を形成して構成されている、
包装体。
【請求項１０】
請求項１乃至９のいずれかに記載の包装体であって、
前記包装体は、水溶性の素材で形成されており、
前記包装体に収容される前記物質は、当該包装体を溶解させない物質である、
包装体。
【請求項１１】
複数の物質を収容する内部空間を有する、第一収容領域部、第二収容領域部及び第三収容領域部と、
前記物質が流通可能であり、前記第一収容領域部の内部空間と前記第三収容領域部の内部空間とを相互に連通させる第一連通路と、前記第二収容領域部の内部空間と前記第三収容領域部の内部空間とを相互に連通させる第二連通路と、を備え、
前記第一収容領域部及び前記第二収容領域部は、外部からの圧力に応じて内部空間が縮小／拡大するよう構成されており、当該第一収容領域部及び第二収容領域部の内部空間の縮小／拡大に応じて前記物質が前記第一連通路及び前記第二連通路を流通するよう構成されている、
包装体。
【請求項１２】
請求項１１に記載の包装体であって、
前記物質のうち、少なくとも１つは気体であり、少なくとも他の１つは気体の気泡を含有可能な液体である場合に、
前記第一連通路及び前記第二連通路は、前記物質が流通したときに、液体内で気体を微小気泡化させるよう構成されている、
包装体。
【請求項１３】
内部空間に複数の物質が収容された第一収容領域部と第二収容領域部とを交互に外部から押圧して、前記第一収容領域部の内部空間と前記第二収容領域部の内部空間とを交互に縮小／拡大させることにより、前記第一収容領域部の内部空間と前記第二収容領域部の内部空間とを相互に連通させる連通路に前記物質を流通させ、
さらに、前記第一収容領域部と前記第二収容領域部との間に複数設けられた前記連通路に前記物質を流通させる、
物質混合方法。
【請求項１４】
内部空間に複数の物質が収容された第一収容領域部と第二収容領域部とを交互に外部から押圧して、前記第一収容領域部の内部空間と前記第二収容領域部の内部空間とを交互に縮小／拡大させることにより、前記第一収容領域部の内部空間と前記第二収容領域部の内部空間とを相互に連通させる連通路に前記物質を流通させ、
さらに、前記第一収容領域部と前記第二収容領域部との間に複数設けられた前記連通路のうち、少なくとも１つは前記第一収容領域部の内部空間から前記第二収容領域部の内部空間に向かって通路の幅が狭くなるよう構成され、少なくとも他の１つは記第二収容領域部の内部空間から前記第一収容領域部の内部空間に向かって通路の幅が狭くなるよう構成されており、複数の前記連通路に前記物質を流通させる、
物質混合方法。
【国際調査報告】
2018074209.tif 000016
2018074209.tif 000017
2018074209.tif 000018
2018074209.tif 000019